(57)【特許請求の範囲】
【請求項１】
サンルームまたはテラスの屋根上に設けられ、日除け用スクリーンを巻くロール、および前記ロールと同軸に前記ロールの両端に設けられ、ロールと一体に回転するワイヤ巻取りプーリを有するスクリーンユニットと、
前記屋根上に設ける左右のガイドレールに沿って移動しかつ前記スクリーンの前端を結合するスライドボトムと、
前記各巻取りプーリにそれぞれ前記スクリーンと逆方向に巻かれ、前記ガイドレールおよび前記スライドボトムの両端にそれぞれ設けたガイドプーリに掛け回す左右のワイヤと、
前記各巻取りプーリに巻かれた左右のワイヤ間に前記スライドボトム内にて接続され、前記スクリーンに張力を付与するスプリングとを備えた日除け装置におけるスクリーンの張力調整装置において、
前記スライドボトム内に移動可能に設けられ、前記スプリングの張力調整側端部に接続した台座と、
前記台座上に設けられ、一方のワイヤをＵターン状に掛け回し可能な滑車または弧状のワイヤ摺動面部を有する部材からなるワイヤ方向転換部材と、
前記台座上に設けられ、前記一方のワイヤを台座上に固定する固定部材とを備えた
ことを特徴とするスクリーンの張力調整装置。
【請求項２】
請求項１に記載のスクリーンの張力調整装置において、
前記固定部材は、前記台座に取付けられ、かつ前記ワイヤの張力増大方向の移動のみを許容する逆止め機能と、逆止め機構を解除する機能とを有する
ことを特徴とするスクリーンの張力調整装置。
【発明の詳細な説明】
【技術分野】
【０００１】
本発明は、サンルームやテラスの屋根上に設ける日除け用スクリーンの張力を調整する装置に関する。
【背景技術】
【０００２】
図６に示すように、サンルーム１は、家屋の躯体に付設され、支柱２で支持された垂木３や桁４に採光用の透明の屋根板５を載置すると共に、側面や前面に必要に応じてパネルや扉等(図示せず)を設けて構成される。このようなサンルーム１において、特に夏における日光を遮蔽するため、屋根の上に開閉式の日除けスクリーンを取付けることが行なわれる（例えば特許文献１参照）。
【０００３】
このようなスクリーンは、図７の平面図および図８（Ａ），（Ｂ）の側面図に示すように、屋根を構成する垂木３上の躯体側部分にスクリーン６を巻くロール７を配置すると共に、垂木３上に対をなすガイドレール９，９を取付け、ガイドレール９，９にスライドボトム１０の両端部に設けたローラ１１を転動可能に装着してスライドボトム１０を図７の矢印Ｙの方向に移動可能に取付け、スクリーン６の端部をスライドボトム１０に結合して構成される。また、スクリーン６が屋根板５上に垂れることを防止するため、スクリーン６に張力（テンション）を付与する装置が備えられている。
【０００４】
この張力付与装置は、ロール７の両端に設けられてロール７と一体に回転する巻取りプーリ１２，１２と、各巻取りプーリ１２，１２に巻かれたワイヤ１３，１３と、ワイヤ１３，１３に張力を付与するためにスライドボトム１０内に設けられたスプリング１４と、ワイヤ１３，１３を巻取りプーリ１２，１２とスプリング１４との間で掛け回わすため、ガイドレール９，９に取付けたガイドプーリ１５ａ，１５ａと、ガイドレール９，９の前端部に取付けるレールキャップ１７，１７に取付けたガイドプーリ１５ｂ，１５ｂと、スライドボトム１０の両端に設けたガイドプーリ１５ｃ，１５ｃとを備える。
【０００５】
図８（Ａ），（Ｂ）に示すように、スクリーン６とワイヤ１３とは、それぞれロール７と巻取りプーリ１２に対して互いに巻取り繰り出し方向が逆向きとなるように巻かれており、これにより、スクリーン６が巻取られる（繰り出される）時にはワイヤ１３は繰り出される（巻取られる）ように構成されている。そして、図８（Ａ）に示すように、スライドボトム１０が最も前部まで移動した際には、スクリーン６およびワイヤ１３の張力が最大となるように構成する。
【０００６】
すなわち、スライドボトム１０が最も前部に移動した状態では、巻取りプーリ１２は最もワイヤ１３の巻取り径が大きくなるため、最も張力が最大となるようにしてスクリーン６が垂木３や屋根板５上に垂れることを防止する構成となっている。このようにスクリーン６を張ることにより、強風時であってもスクリーン６があおられて屋根板５等に当接して損傷したり、騒音が発生することを防ぐことができる。
【０００７】
図７において、２０はスプリング１４と一方のワイヤ１３との間に設けられた従来の張力調整装置である。この張力調整装置２０は、規格の相違に伴うスクリーン６の矢印Ｙ方向の出幅の相違に応じて、あるいは必要に応じて垂木３や屋根板５の出幅に対応させるため、現地において調整する必要があることから、スクリーン６やワイヤ１３の長さを調整して張力も調整する必要が生じるものである。
【０００８】
この従来の張力調整装置２０は、図９に示すように、スライドボトム１０内に摺動可能に装着するスライド板２１の一端にスプリング１４を接続し、スライド板２１には複数個所にワイヤ１３を接続するフック２２ａ〜２２ｅを設け、ワイヤ１３の端部に設けた輪状の接続部１３ａをスライドボトム１４の最大出幅に対応した好ましい張力が得られるフック（２２ａ〜２２ｅのうちの１つ）に掛けるものである。この張力調整装置２０により張力調整を行なう場合は、作業者が一方の手でスプリング１４を接続したスライド板２１を把持しておき、他方の手でワイヤ１３を把持して引っ張り、ワイヤ１３の接続部１３ａをフック２２ａ〜２２６ｅの１つに掛ける。
【０００９】
図１０は張力調整装置の他の従来例であり、一方のワイヤ１３はスプリング１４の一端側のフック１４ａに接続し、スプリング１４の他端側のフック１４ｂは逆止め構造の金具２３に接続し、この金具２３に他方のワイヤ１３の端部を通してなるものである。この金具２３は、金具２３に対して矢印Ｘ方向にワイヤ１３を引っ張った場合、ワイヤ１３を金具２３に対して移動させることができるが、Ｘ方向の反対方向にはワイヤ１３の移動が阻止される構造を有するものである。この張力調整装置においては、作業者が一方の手で金具２３を握り、他方の手でワイヤ１３を矢印Ｘで示すように引っ張ることにより、金具２３に対するワイヤ１３の結合位置を調整してスクリーン６およびワイヤ１３の張力を調整するものである。
【先行技術文献】
【特許文献】
【００１０】
【特許文献１】特開２００３−４１７２８号公報
【発明の概要】
【発明が解決しようとする課題】
【００１１】
しかしながら、図９、図１０に示す張力調整装置によれば、図８（Ａ）で示す位置、すなわち垂木３の前端にスライドボトム１０がある状態で調整作業を行なおうとすると、この状態が最もスクリーン６やワイヤ１３の張力が最大になるため、例えば３０ｋｇ以上の強い力でワイヤ１３をスプリング１４側に引っ張る作業が必要となる。さらにいずれの場合も、作業者は両手を使用して、右手と左手の力の方向が反対となるような力を加えて張力調整作業を行なう必要がある。このような強い力で両手を使用して行なう作業は、作業者が脚立や梯子上の不安定な姿勢で行なうことは困難である。
【００１２】
このため、ワイヤ１３やスクリーン６の張力が弱い状態となる図８（Ｂ）に示す状態、すなわちスクリーン６の大半がロール７に巻かれた状態で行なう必要がある。この状態は、スライドボトム１０が躯体側（ロール７側）に近接した状態にあるので、作業者は図６に示すように、垂木３等でなる屋根上に足場となるパネル２５を載せ、作業者２６はそのパネル２５上に上って作業を行なう必要があった。
【００１３】
このようなスクリーン６の取付け作業や張力調整作業は、屋根上に上がる、パネルを持ち上げて屋根上に載せるなどの労苦を伴う作業である。このため、サンルーム１の前面または側面から脚立等を使用して容易に張力調整作業を行なうことが可能となる構成の張力調整装置が要望されていた。
【００１４】
また、従来は、スクリーン６を縮めた状態で張力調整を行なっているので、スクリーン６の張り具合を観察するには、屋根上で張力調整を行なった後、一旦作業者は屋根から降り、スライドボトム１０を屋根の前部にまで移動させてスクリーン６を開き、スクリーン６の張り具合を観察した後、張り具合が悪い場合（張力が弱い場合にはスクリーン６が垂れて屋根板５に当接し、強すぎる場合には、スクリーン６に皺がよる場合がある。）には、再度スライドボトム１０を元の位置に戻してスクリーン６を縮め、再度張力調整を行なう必要があり、スクリーン６の張力調整が能率良く行なえないという問題点があった。
また、図９に示した従来の張力調整装置では、段階的な張力調整は可能であるが、張力調整が任意にできないため、出幅を任意に設定した場合には、好適な張力調整ができない場合があるという問題点があった。
【００１５】
本発明は、上記問題点に鑑み、サンルームやテラスの前面または側面から脚立等を使用して小さい力で容易かつ能率良く迅速にスクリーンの張力調整を行なうことが可能になると共に、張力の度合が好適となるように調整することが可能となる構成の日除けスクリーンの張力調整装置を提供することを目的とする。
【課題を解決するための手段】
【００１６】
請求項１のスクリーンの張力調整装置は、
サンルームまたはテラスの屋根上に設けられ、日除け用スクリーンを巻くロール、および前記ロールと同軸に前記ロールの両端に設けられ、ロールと一体に回転するワイヤ巻取りプーリを有するスクリーンユニットと、
前記屋根上に設ける左右のガイドレールに沿って移動しかつ前記スクリーンの前端を結合するスライドボトムと、
前記各巻取りプーリにそれぞれ前記スクリーンと逆方向に巻かれ、前記ガイドレールおよび前記スライドボトムの両端にそれぞれ設けたガイドプーリに掛け回す左右のワイヤと、
前記各巻取りプーリに巻かれた左右のワイヤ間に前記スライドボトム内にて接続され、前記スクリーンに張力を付与するスプリングとを備えた日除け装置におけるスクリーンの張力調整装置において、
前記スライドボトム内に移動可能に設けられ、前記スプリングの張力調整側端部に接続した台座と、
前記台座上に設けられ、一方のワイヤをＵターン状に掛け回し可能な滑車または弧状のワイヤ摺動面部を有する部材からなるワイヤ方向転換部材と、
前記台座上に設けられ、前記一方のワイヤを台座上に固定する固定部材とを備えた
ことを特徴とする。
【００１７】
請求項２のスクリーンの張力調整装置は、請求項１に記載のスクリーンの張力調整装置において、
前記固定部材は、前記台座に取付けられ、かつ前記ワイヤの張力増大方向の移動のみを許容する逆止め機能と、逆止め機構を解除する機能とを有する
ことを特徴とする。
【発明の効果】
【００１８】
請求項１の発明によれば、スプリングを接続する台座に、滑車または弧状のワイヤ摺動面部を有するワイヤ方向転換部材を設けたものであり、張力調整時には、ワイヤの端部を前記ワイヤ方向転換部材に掛け回してＵターンさせて引っ張ることにより張力調整が可能となる。このため、従来のようにワイヤを直線的に引っ張る場合に比較し、調整に必要な力が約半分ですむ。その上、スプリングの引っ張り力に対して反対側から片手でワイヤを把持して引っ張ることにより調整が可能となる。このため、作業者はサンルーム等の日除けスクリーン設置ルームの屋根に上がることなく、サンルーム等のスクリーン設置ルームの前面または側面から、作業者が脚立や梯子等に上がった状態でスクリーンの張力調整を容易に行なうことが可能となる。
【００１９】
また、サンルーム等の前面や側面からスクリーンの張り具合を見ながら張力調整を行なうことができるため、従来のように屋根の上って張り具合を調整後、屋根から降りて張り具合をサンルーム等の側面や前面から観察して、不具合であれば再度スクリーンを縮めて張力を調整するという作業を繰り返すことなく、迅速に能率良く張力調整作業を終えることができる。
【００２０】
また、張力調整に引っ張るワイヤの長さは従来の2倍になるので、より細かな張力調整が可能となり、従来よりも好適な張力に設定することが容易にできる。
【００２１】
請求項２の発明によれば、ワイヤを台座に固定する固定部材として、ワイヤを引っ張った時のみに金具内のワイヤの移動を許容する逆止め機能を有するので、張力調整後にワイヤの固定作業を行なう必要がなく、スクリーンの張力調整がさらに容易となる。また、張力を付与しすぎた場合には、逆止め機能を解除することにより、ワイヤを緩めることができ、好適な張力設定を容易に行なうことができる。
【図面の簡単な説明】
【００２２】
【図１】本発明の張力調整装置を適用した示す日除け用スクリーンの一例を有するサンルームをスクリーンの張力調整作業状態について示す斜視図である。
【図２】図１のスクリーン付きサンルームを示す平面図である。
【図３】本発明の張力調整装置の一実施の形態を示す斜視図である。
【図４】本実施の形態のワイヤ固定部材を示す断面図である。
【図５】本発明の張力調整装置の他の実施の形態を示す平面図である。
【図６】従来の張力調整装置を適用した日除けスクリーンの張力調整作業状態を示す斜視図である。
【図７】従来の張力調整装置を適用した日除けスクリーンの一例を示す平面図である。
【図８】（Ａ），（Ｂ）は図６、図７の日除けスクリーンとワイヤの巻取り繰り出し構造を、それぞれスクリーンを繰り出した状態と巻取り状態で示す側面図である。
【図９】従来の張力調整装置を示す平面図である。
【図１０】従来の張力調整装置の他の例を示す平面図である。
【発明を実施するための形態】
【００２３】
図１は本発明の張力調整装置を適用した日除けスクリーン一例を張力調整作業状態で示す斜視図、図２はその平面図である。図１、図２において、図６、図７と同じ符号は同じ部品を示すため、重複する説明を省く。図１、図２において、３０はロール７および巻取りプーリ１２と一体に回転する軸であり、その端部にはこの軸３０を手動により回転させるための操作装置３１が取付けられる。３２はスクリーンユニットであり、これはロール７と、このロール７に巻き取られるスクリーン６と、巻取りプーリ１２と、これらを覆うカバー３３と、操作装置３１とを含んで構成される。ロール７および巻取りプーリ１２を回転させる手段として、ロール７内に収容するモータを用いる場合もある。ワイヤ１３の掛け回し構造は、図８（Ａ），（Ｂ）に示した通りである。
【００２４】
３５は本発明による張力調整装置であり、この張力調整装置３５は図３の斜視図に示すように構成される。図３において、３６はスライドボトム１０に形成された溝１０ａに移動可能に設けられた台座、３７はこの台座３６に設けたスプリング止め部である。このスプリング止め部３７にスプリング１４の張力調整側端部のフック１４ａを掛けることにより、スプリング１４が台座３６に接続される。
【００２５】
３８はワイヤ１３をＵターン状に掛けるワイヤ方向転換部材である。この例のワイヤ方向転換部材３８は、台座３６に軸３９を中心に回転可能に取付けた滑車からなる。４０はワイヤ１３の固定部材であり、この固定部材４０はボルト等の固定具４１により台座３６に固定される。
【００２６】
この実施の形態の固定部材４０は、図４の断面図に示すように、ワイヤ１３を通す筒状体からなり、下記の逆止め機能を有する。すなわちこの筒状の固定部材４０はテーパー部４０ａと筒状部４０ｂとを有し、これらの内部に受け側筒体４０ｃと押圧側筒体４０ｄとを移動可能に内蔵し、これらの筒体４０ｃ，４０ｄ内にワイヤ１３を通し、かつ受け側筒体４０ｃと押圧側筒体４０ｄのつば部４０ｅとの間で複数の球体４０ｆを挟持し、押圧側筒体４０ｄの先端のつば部４０ｅと筒状部４０ｂ内に固定して設けたばね受け４０ｇとの間に圧縮スプリング４０ｈを設けたものである。そして、ワイヤ１３を矢印Ｅ方向に引っ張る際にはこの固定部材４０に対してワイヤ１３を移動させることが可能であるが、矢印Ｅの反対方向にワイヤ１３が移動しようとすると、圧縮スプリング４０ｈの力により球体４０ｆがテーパー部４０ａの内面とワイヤ１３との間で押圧され、球体４０ｆでワイヤ１３を挟持してワイヤ１３の移動を阻むものである。
【００２７】
また、受け側筒体４０ｃを手で圧縮スプリング４０ｈの力に抗して矢印Ｅの方向に押圧すると、球体４０ｆによるワイヤ１３の拘束が解除され、ワイヤ１３を固定部材４０に対して矢印Ｅの反対方向に動かすことが可能であり、これによってワイヤ１３ひいてはスクリーン６の張力を緩和することができるものである。
【００２８】
この張力調整装置３５は、図３に示すようにワイヤ１３をワイヤ方向転換部材３８でＵターンさせて矢印Ｆの方向に引っ張ることによりワイヤ１３、ひいてはスクリーン６の張力を調整するものであり、ワイヤ１３を引く距離は従来の２倍にはなるものの、ワイヤ１３を引っ張る力は約半分ですむ。その上、図３に示すように、張力調整時にワイヤ１３を引っ張る方向Ｆは、スプリング１４の引っ張り力の作用方向と反対方向になるので、スプリング１４は把持する必要がなく、ワイヤ１３のみを片手で把持して引っ張ることによって調整できる。このため、図１に示すように、スクリーン６を伸ばしたままで作業員２６は脚立４５や梯子上に載ってサンルーム１の前面または側面から張力調整作業を労力少なく安全に行なうことができる。
【００２９】
また、サンルーム１等の前面や側面からスクリーン６の張り具合を見ながら張力調整を行なうことができるため、従来のように屋根の上って張り具合を調整後、屋根から降りて張り具合をサンルーム１等の側面や前面から観察して、不具合であれば再度スクリーン６を縮めて張力を調整するという作業を繰り返すことなく、迅速に能率良く張力調整作業を終えることができる。
【００３０】
また、張力調整に引っ張るワイヤ１３の長さは従来の2倍になるので、より細かな張力調整が可能となり、従来よりも好適な張力に設定することが容易にできる。
【００３１】
図５は本発明による張力調整装置の他の実施の形態を示す平面図であり、この張力調整装置３５Ａは、ワイヤ方向転換部材３８Ａとして、前記滑車３８の代わりに弧状のワイヤ摺動面部４６を有する円形部材を用い、これをボルト等の固定具４７により台座３６に固定して設けたものである。この実施の形態によれば、張力調整時にワイヤ１３を引っ張る力としてワイヤ摺動面部４６との摩擦抵抗は加わるものの、従来構造の張力調整に比較して引っ張る力を格段に低下させることができ、しかも片手での操作が可能となるので、図３で示したものと同様の効果をあげることができる。
【００３２】
以上本発明を実施の形態により説明したが、本発明を実施する場合、台座３６上に設ける固定部材として、前記逆止め機能を有するものに限らず、例えばボルトやねじの締め付けによりワイヤ１３を挟持して固定するものを用いることもできる。その他、上記実施の形態に限らず、本発明の要旨を逸脱しない範囲において、スクリーン６、ガイドレール９、スライドボトム１０、ワイヤ１３、スプリング１４、台座３６、ワイヤ方向転換部材３８、固定部材部材４０やこれらの組み合わせ等について、種々の変更、付加が可能である。
【符号の説明】
【００３３】
１：サンルーム、２：支柱、３：垂木、４：桁、５：屋根板、６：スクリーン、７：ロール、９：ガイドレール、１０：スライドボトム、１１：ローラ、１２：巻取りプーリ、１３：ワイヤ、１４：スプリング、１５ａ〜１５ｃ：ガイドプーリ、１７：レールキャップ、３０：軸、３１：操作装置、３２：スクリーンユニット、３３：カバー、３５，３５Ａ：張力調整装置、３６：台座、３７：スプリング止め部，３８，３８Ａ：ワイヤ方向転換部材、３９：軸、４０：固定部材、４０ａ：テーパー部、４０ｃ：受け側筒体、４０ｄ：押圧側筒体、４０ｈ：圧縮スプリング、４５：脚立、４６：ワイヤ摺動面部、４７：固定具
【図１】
0005864333.tif 000002
【図２】
0005864333.tif 000003
【図３】
0005864333.tif 000004
【図４】
0005864333.tif 000005
【図５】
0005864333.tif 000006
【図６】
0005864333.tif 000007
【図７】
0005864333.tif 000008
【図８】
0005864333.tif 000009
【図９】
0005864333.tif 000010
【図１０】
0005864333.tif 000011